(57)【要約】【課題】画像データに可変長符号を用いた符号化またはその復号化の少なくとも一方を行う場合において、画素データの構成情報毎の圧縮伸張器を用意しなくても、良好な符号化効率を得られるようにする。【解決手段】注目画素の画素データとその周囲画素の画素データとの差分について可変長符号を用いた符号化またはその復号化の少なくとも一方を行う処理手段１，２と、符号化対象となる画素データまたは復号化された後の画素データに対して当該画素データを構成する複数の構成情報の並び順の並び換えを行う変換手段３，４とを備える。そして、変換手段３，４にて、注目画素と周囲画素との差分が小さくなるように、構成情報の並び順の並び換えを行う。【選択図】        図１
2004194155.tif 000002
【特許請求の範囲】
【請求項１】
注目画素の画素データとその周囲画素の画素データとの差分について可変長符号を用いた符号化またはその復号化の少なくとも一方を行う処理手段と、
符号化対象となる画素データまたは復号化された後の画素データに対して当該画素データを構成する複数の構成情報の並び順の並び換えを行う変換手段と
を備えることを特徴とするデータ処理装置。
【請求項２】
前記変換手段は、周囲画素との相関性の高い構成情報が並び順の上位に位置し、周囲画素との相関性の低い構成情報が並び順の下位に位置するように、前記複数の構成情報の並び換えを行うものである
ことを特徴とする請求項１記載のデータ処理装置。
【請求項３】
前記変換手段は、固定値である構成情報が並び順の上位に位置するように、前記複数の構成情報の並び換えを行うものである
ことを特徴とする請求項２記載のデータ処理装置。
【請求項４】
前記変換手段は、後段の処理で必要にならない構成情報を新たな固定値情報に置き換えるものである
ことを特徴とする請求項１、２または３記載のデータ処理装置。
【請求項５】
注目画素の画素データとその周囲画素の画素データとの差分について可変長符号を用いた符号化またはその復号化の少なくとも一方を行うためのデータ処理方法であって、
符号化対象となる画素データまたは復号化された後の画素データに対して当該前記画素データを構成する複数の構成情報の並び順の並び換えを行う
ことを特徴とするデータ処理方法。
【請求項６】
注目画素の画素データとその周囲画素の画素データとの差分について可変長符号を用いた符号化またはその復号化の少なくとも一方を行うためのデータ処理プログラムであって、
コンピュータを、
符号化対象となる画素データまたは復号化された後の画素データに対して当該画素データを構成する複数の構成情報の並び順の並び換えを行う変換手段
として機能させることを特徴とするデータ処理プログラム。
【発明の詳細な説明】
【０００１】
【発明の属する技術分野】
本発明は、画素データの集合である画像データに可変長符号を用いた符号化またはその復号化の少なくとも一方を行うデータ処理装置、データ処理方法およびデータ処理プログラムに関する。
【０００２】
【従来の技術】
一般に、画像を表現するためのディジタルデータ（以下、単に「画像データ」という）は、データ圧縮のために符号化されることが多い。画像データは画素データの集合からなるが、その画像データに対する符号化としては、注目画素の画素データとその周囲画素の画素データとの差分（誤差値）を、その出現頻度に応じた可変長符号を用いてエントロピー符号化（ハフマン符号化）するものが広く知られている。
【０００３】
このようなハフマン符号化では、出現頻度の高い誤差値については短い符号長を割り当て、出現頻度の低い誤差値については長い符号長を割り当てることで、符号化効率を高めコンパクトな符号化を実現するようになっている。例えば、自然画像やコンピュータグラフィック画像等は、誤差値が小さいものの出現頻度が高い。したがって、符号化前後のデータの対応関係、すなわちどの誤差値がどの符号長のデータに対応するかを特定するハフマンテーブルには、例えば周囲画素との誤差値の小さい画素データが短い符号長の符号となるように、それぞれの対応関係が予め設定されていることが多い。
【０００４】
ところで、ハフマン符号化の処理対象となる画素データは、通常、画素情報やタグ情報等といった複数の構成情報からなるデータ構造を有している。画素情報は、画素の色等を表すためのビット列からなる情報である。また、タグ情報は、画素情報に関する全ての付加情報がこれに相当し、具体的にはその画素の属性（例えば、イメージ、フォント等の画像種類、プリント制御についての属性）を表すためのビット列からなる情報である。そして、これらの構成情報が所定の順（例えば、タグ情報に続いて画素情報が並ぶといった順）で並ぶことで、１画素分の画素データを構成するようになっている。
【０００５】
なお、ここで説明した従来の技術は、公知公用の技術に基づくものであり、文献公知発明に係るものではない。したがって、本明細書においては記載すべき先行技術文献情報はない。
【０００６】
【発明が解決しようとする課題】
しかしながら、このようなデータ構造の画素データでは、各構成情報の並び順（ビット列のアライメント）によっては、例えば自然画像やコンピュータグラフィック画像等についてのものであっても、周囲画素との誤差値が大きくなってしまう場合がある。具体的には、例えばタグ情報のように、周囲画素との相関性が低く、画素毎の変化量が大きい傾向にある構成情報が、並び順の上位、すなわちビット列の上位ビットに位置している場合がこれに相当する。また、複数の構成情報が同一のビット配列に並んでいる場合も、誤差値は大きくなる傾向にある。したがって、上述したように設定された一つのハフマンテーブルに従って、処理対象となる画素データに対するハフマン符号化を行ったのでは、期待しただけの圧縮率が得られず、結果として符号化効率を十分に高めることができないおそれがある。
【０００７】
この点については、例えば複数の圧縮伸張器を用意し、それぞれに異なるハフマンテーブルを設定することで、符号化効率の向上を図ることも考えられる。すなわち、ある圧縮伸張器で画素情報についての符号化を行い、これとは別の圧縮伸張器でタグ情報についての符号化を行うことで、ビット列のアライメントに関係なく符号化効率の向上を図るようにする。しかしながら、この場合には、複数の圧縮伸張器を用意しなければならないため、構成の冗長化を招いてしまう。
【０００８】
そこで、本発明は、画像データに可変長符号を用いた符号化またはその復号化の少なくとも一方を行う場合において、画素データの構成情報毎の圧縮伸張器を用意しなくても、良好な符号化効率を得ることのできるデータ処理装置、データ処理方法およびデータ処理プログラムを提供することを目的とする。
【０００９】
【課題を解決するための手段】
本発明は、上記目的を達成するために案出されたデータ処理装置で、注目画素の画素データとその周囲画素の画素データとの差分について可変長符号を用いた符号化またはその復号化の少なくとも一方を行う処理手段と、符号化対象となる画素データまたは復号化された後の画素データに対して当該画素データを構成する複数の構成情報の並び順の並び換えを行う変換手段とを備えることを特徴とするものである。
【００１０】
また、本発明は、上記目的を達成するために案出されたデータ処理方法である。すなわち、注目画素の画素データとその周囲画素の画素データとの差分について可変長符号を用いた符号化またはその復号化の少なくとも一方を行うためのデータ処理方法であって、符号化対象となる画素データまたは復号化された後の画素データに対して当該前記画素データを構成する複数の構成情報の並び順の並び換えを行うことを特徴とする。
【００１１】
また、本発明は、上記目的を達成するために案出されたデータ処理プログラムである。すなわち、注目画素の画素データとその周囲画素の画素データとの差分について可変長符号を用いた符号化またはその復号化の少なくとも一方を行うためのデータ処理プログラムであって、コンピュータを、符号化対象となる画素データまたは復号化された後の画素データに対して当該画素データを構成する複数の構成情報の並び順の並び換えを行う変換手段として機能させることを特徴とするものである。
【００１２】
上記構成のデータ処理装置、データ処理方法およびデータ処理プログラムによれば、可変長符号を用いた符号化またはその復号化の少なくとも一方を行うのにあたって、画素データを構成する構成情報の並び順を並び換えるので、その並び換えによって、例えば周囲画素との相関性が高くなるように各構成情報の並び順を構成し直し、これにより注目画素と周囲画素との差分を小さくする、といったことが実現可能になる。したがって、並び換え後の画像データに符号化またはその復号化を行えば、各構成情報別でなくても一律に高効率の符号化または復号化を行えるようになる。
【００１３】
【発明の実施の形態】
以下、図面に基づき本発明のデータ処理装置、データ処理方法およびデータ処理プログラムについて説明する。
【００１４】
〔第１の実施の形態〕
先ず、本発明の第１実施形態について説明する。はじめに、第１実施形態におけるデータ処理装置の構成を説明する。ここで説明するデータ処理装置は、画素データの集合である画像データに対して、可変長符号であるハフマン符号を用いた符号化またはその復号化の少なくとも一方を行うものである。ただし、ここでは符号化とその復号化との両方を行う場合を例に挙げて説明する。
【００１５】
また、ここで説明するデータ処理装置は、画像データに対して符号化／復号化を行うものであることから、例えば複写機、スキャナ装置、プリンタ装置、ＦＡＸ装置、画像処理機能を有したコンピュータ装置等のように、画像データを取り扱う各種装置に搭載されて用いられるものである。さらには、これらの各種装置を有線又は無線で互いに接続したネットワークシステム上にて用いられるものであってもよい。なお、これらの各種装置等の詳細については、公知であるため、ここではその説明を省略する。
【００１６】
図１は、本発明に係るデータ処理装置の第１の実施の形態における概略構成例を示すブロック図である。図例のように、ここで説明するデータ処理装置は、圧縮器１および伸張器２を備えている。
【００１７】
圧縮器１は、画像データに可変長符号を用いた符号化を行うものである。さらに詳しくは、注目画素の画素データとその周囲画素の画素データとの差分（誤差値）について、予め設定されたハフマンテーブルを参照しつつ、その出現頻度に応じた可変長符号を用いてエントロピー符号化（ハフマン符号化）することで、画像データの符号化を行うものである。なお、ハフマンテーブルおよびハフマン符号化の詳細については、従来と略同様であるため、ここではその説明を省略する。
【００１８】
伸張器２は、画像データに可変長符号を用いた復号化を行うものである。さらに詳しくは、予め設定されたハフマンテーブルを参照しつつ、圧縮器１が符号化した符号化後データに対して可変長符号を用いたエントロピー復号化（ハフマン復号化）を行うことで、その符号化後データを元の画像データに戻すものである。なお、ここでも、ハフマン復号化の詳細については、従来と略同様であるため、ここではその説明を省略する。
【００１９】
さらに、データ処理装置は、これら圧縮器１および伸張器２に加えて、圧縮器１よりも画像データの流れ方向前段に入力データ変換手段３を備えているとともに、伸張器２よりも画像データの流れ方向後段に出力データ変換手段４を備えている。これら入力データ変換手段３および出力データ変換手段４は、いずれも、画素データを構成する複数の構成情報の並び順の並び換えを行うものである。
【００２０】
ここで、画素データの構成情報と、その並び順について、簡単に説明する。画素データは、通常、複数の構成情報からなるデータ構造を有している。具体的には、既に説明したような画素情報とタグ情報とから構成され、これら各構成情報が一つのビット列として所定の並び順で配列されている。各構成情報の並び順は、例えばタグ情報のビット列に続いて画素情報のビット列が並ぶといった順であり、データ処理装置を含むシステム内で用いられるフォーマット情報として予め定められている。
【００２１】
入力データ変換手段３は、このようなデータ構造の画素データに対して、各構成情報のビット列上における位置を入れ換えることで、その並び順の並び換えを行うものである。並び換えは、各構成情報を一つの単位として行うものとする。例えば、予めフォーマット情報によってタグ情報に続いて画素情報が並ぶという並び順が定められていれば、その並び順を画素情報に続いてタグ情報が並ぶように入れ換える。このような並び換えは、その並び換えルール（どの構成情報をどのビット列上のどの位置に配するか）を特定するルックアップテーブル（以下「ＬＵＴ」と略す）を参照しながら行うことが考えられる。この場合、ＬＵＴに格納される並び換えルールは、適宜書き換え可能とすることが、データ処理装置の汎用性を確保する上で望ましい。また、画素データはビット列からなるものであることから、各構成情報の並び換えは、各ビット情報を選択的に通過させるセレクタを用い、セレクタ通過後に新たなビット列を再構成することによって行っても構わない。
【００２２】
出力データ変換手段４も、入力データ変換手段３と略同様の手法で、各構成情報の並び順の並び換えを行うものである。ただし、出力データ変換手段４は、入力データ変換手段３とは逆の並び換え、すなわち入力データ変換手段３が並び換えた並び順を元に戻す並び換えを行うようになっている。
【００２３】
これら圧縮器１、伸張器２、入力データ変換手段３および出力データ変換手段４は、画像データを取り扱う各種装置に搭載されて好適なように、専用ＡＳＩＣ（Application Specified Integrated Circuit）等のハードウエア回路によって構成することが考えられる。ただし、例えばコンピュータ上で動作するプリンタドライバのように、ソフトウエアによって構成したものであっても構わない。また、その場合には、ソフトウエア構成はコンピュータ内にインストールされているのではなく、コンピュータ読み取り可能な記憶媒体に格納されて提供されるものであっても、または有線若しくは無線による通信手段を介して配信されるものであってもよい。つまり、本実施形態で説明するデータ処理装置は、コンピュータをデータ処理装置として機能させるためのデータ処理プログラムによっても実現することが可能である。
【００２４】
次に、以上のように構成されたデータ処理装置が符号化および復号化を行う際の処理手順、すなわち本発明に係るデータ処理方法について説明する。
【００２５】
処理対象となる符号化前の画像データ（画素データの集合）がシリアルに入力されると、データ処理装置では、先ず、入力データ変換手段３が画素データにおける各構成情報の並び順の並び換えを行う。このとき、入力データ変換手段３は、事前に設定された並び換えルールに従いつつ、その並び換えを行う。
【００２６】
ここで、並び換えルールについて簡単に説明する。並び換えルールは、周囲画素との相関性の高い構成情報がビット列上における並び順の上位に位置し、周囲画素との相関性の低い構成情報がビット列上における並び順の下位に位置するように、事前に設定されているものとする。相関性の高い構成情報としては、画素情報が挙げられる。画素情報は、例えば自然画像やコンピュータグラフィック画像等についてのものであれば顕著なように、同様のデータ値が連続する可能性が極めて高いからである。一方、相関性の低い構成情報としては、タグ情報が挙げられる。タグ情報は、例えば自然画像やコンピュータグラフィック画像等についてのものであっても、そのデータ値が画素毎に変わる可能性が高いからである。
【００２７】
また、並び換えルールは、固定値である構成情報がビット列上における並び順の上位に位置するように、事前に設定されているものとする。例えば、タグ情報が複数種類に分割可能な場合も考えられるが、その場合には、各種タグ情報の中で固定値であるもの、すなわちデータ値が全く変化しないタグ情報を、ビット列上における並び順の最上位に位置させるようにする。
【００２８】
さらに、並び換えルールは、後段の処理で必要にならない構成情報を新たな固定値情報に置き換えるものであってもよい。例えば、タグ情報の中には、データ処理装置を搭載する各種装置の構成によっては、後段の処理で必要にならないものも存在し得る。具体的には、後段にプリンタ装置が存在しない場合における、プリント属性に関するタグ情報がこれに相当する。このようなタグ情報については、そのデータ値が画素毎に変わるものであっても、所定の固定値に置き換えるようにする。勿論、この固定値は、並び順の最上位に位置させる。
【００２９】
このような並び換えルールに従いつつ、各構成情報の並び順の並び換えを行うことで、入力データ変換手段３では、タグ情報に続いて画素情報が並ぶという並び順の画素データを受け取った場合であっても、その並び順を画素情報に続いてタグ情報が並ぶように入れ換えるのである。さらに、構成情報の中に固定値が含まれる場合には、その固定値を並び順の最上位に位置させるのである。
【００３０】
入力データ変換手段３が各構成情報の並び換えを行った後は、次いで、圧縮器１がその並び換え後の画素データをシリアルに受け取って、画素データに対するハフマン符号化を行う。詳しくは、圧縮器１では、注目画素の画素データとその周囲画素（主走査方向の隣接画素や副走査方向の直上画素等）の画素データとの誤差値について、予め設定されたハフマンテーブルを参照しつつ、その出現頻度に応じた可変長符号を用いてハフマン符号化する。
【００３１】
ただし、このとき、符号化の処理対象となる画素データは、上述した並び換えルールに従ってビット列上における並び順が並び換えられている。そのため、周囲画素との相関性の低く、画素毎に大きく変化する可能性の高い構成情報が下位に位置しているので、上位ビットに変化の大きい傾向にあるデータ値が位置することがなくなり、結果として注目画素と周囲画素との誤差値が見かけ上小さくなる。つまり、符号化の処理対象となる画素データは、注目画素と周囲画素との誤差値が小さくなるような変換がなされたことになる。
【００３２】
したがって、圧縮器１では、自然画像やコンピュータグラフィック画像等の符号化に好適なハフマンテーブル、すなわち周囲画素との誤差値の小さい画素データが短い符号長の符号となるように設定されたハフマンテーブルを参照しつつ、画素情報およびタグ情報からなる画素データを一律に符号化しても、期待しただけの圧縮率、すなわち画素情報のみを符号化した場合と同等の圧縮率を得ることができ、符号化効率を十分に高めることが可能となる。
【００３３】
その後は、圧縮器１での符号化によって得られた符号化後データに対して伸張器２が復号化を行うとともに、その復号化によって得られた復号化後データに対して出力データ変換手段４が構成情報の並び順の並び換えを行い、これらにより元の画素データが復元される。このときの伸張器２による復号化は、上述した圧縮器１による符号化と逆の手順で行えばよいため、ここではその説明を省略する。また、出力データ変換手段４による並び換えについても、入力データ変換手段３と同一の並び換えルールに従いつつ、その入力データ変換手段３による並び換えと逆の手順で行えばよい。なお、圧縮器１による符号化と伸張器２による復号化との間に、記憶蓄積やデータ通信等といった他の処理を経てもよいことは勿論である。
【００３４】
〔第２の実施の形態〕
次に、本発明の第２実施形態について説明する。ただし、ここでは、上述した第１の実施の形態との相違点についてのみ説明する。
【００３５】
図２は、本発明に係るデータ処理装置の第２の実施の形態における概略構成例を示すブロック図である。図例のように、ここで説明するデータ処理装置は、圧縮器１に並設された変換情報付加手段５と、伸張器２に並設された変換情報解釈手段６とを備えている。
【００３６】
変換情報付加手段５は、入力データ変換手段３が基にした並び換えルールの内容を付加情報として生成し、生成した付加情報を圧縮器１による符号化後データに付加するものである。一方、変換情報解釈手段６は、符号化後データに付加された付加情報を解釈して、その内容、すなわち入力データ変換手段３が基にした並び換えルールの内容を出力データ変換手段４に通知するものである。
【００３７】
これら変換情報付加手段５および変換情報解釈手段６も、入力データ変換手段３や出力データ変換手段４等と同様に、専用ＡＳＩＣ等のハードウエア回路によって構成したものであっても、あるいはコンピュータ上で動作するソフトウエアによって構成したものであっても構わない。
【００３８】
このように構成されたデータ処理装置では、変換情報付加手段５が並び換えルールの内容を付加情報として符号化後データに付加する。このとき、並び換えルールがＬＵＴに格納されたものであると、その内容が適宜書き換えられる可能性がある。ただし、ＬＵＴの内容が書き換えられても、一つの画像データについては、その画像データを構成する各画素データに同一の並び換えルールが適用される。このことから、変換情報付加手段５では、付加情報の付加を、例えば画像データ単位で行うようにする。すなわち、一つの画像データについて入力データ変換手段３が並び換えを行うと、変換情報付加手段５は、その都度ＬＵＴからの読み出しによって並び換えルールの内容を把握し、符号化後データのヘッダ部分に付加情報として付加する。
【００３９】
その後は、伸張器２での復号化および出力データ変換手段４での並び換えを行うのにあたり、変換情報解釈手段６が、符号化後データのヘッダ部分に付加された付加情報を解釈する。すなわち、伸張器２での復号化の対象となる符号化後データが、どのような並び換えルールが適用されたものであるかを解釈する。そして、その解釈結果を出力データ変換手段４に通知する。したがって、出力データ変換手段４では、例えばＬＵＴ等に並び換えルールが予め設定されていなくても、変換情報解釈手段６による解釈結果に従って並び換えを行うことで、その並び換えを正しく行うことができる。
【００４０】
これらのことから、本実施形態で説明したデータ処理装置は、特に、入力データ変換手段３、圧縮器１および変換情報付加手段５からなる符号化部分と、伸張器２、出力データ変換手段４および変換情報解釈手段６からなる復号化部分とが、それぞれ別装置に搭載されて用いられる場合に非常に有効なものとなる。
【００４１】
なお、ここでは、変換情報付加手段５が符号化後データに付加情報を付加し、変換情報解釈手段６がその付加情報を解釈する場合を例に挙げたが、付加情報の付加対象は符号化後データに限定されるものではない。図３は、本発明に係るデータ処理装置の第２の実施の形態における変形例を示すブロック図である。図例のように、付加情報の付加対象は、入力データ変換手段３による並び換え後の画素データであってもよい。この場合には、付加情報も合わせて圧縮器１が符号化することになるので、より一層の符号化効率の向上、すなわち圧縮による更なるデータ量の削減が期待できるようになる。
【００４２】
〔第３の実施の形態〕
次に、本発明の第３実施形態について説明する。ただし、ここでは、上述した第２の実施の形態との相違点についてのみ説明する。
【００４３】
図４は、本発明に係るデータ処理装置の第３の実施の形態における概略構成例を示すブロック図である。図例のように、ここで説明するデータ処理装置は、入力データ変換手段３よりも画像データの流れ方向前段に変換情報解釈手段８を備えているとともに、出力データ変換手段４よりも画像データの流れ方向後段に変換情報付加手段７を備えている。そして、入力データ変換手段３および変換情報解釈手段８には外部から画像データが入力されるが、その画像データには、その画像データに適した並び換えルールについての付加情報が付加されているものとする。
【００４４】
変換情報解釈手段８は、画像データと共に外部から入力されてきた付加情報を解釈して、その内容、すなわちその画像データに適した並び換えルールの内容を入力データ変換手段３に通知するものである。一方、変換情報付加手段７は、出力データ変換手段４が基にした並び換えルールの内容を付加情報として生成して、その出力データ変換手段４による並び換え後の画像データに付加するものである。
【００４５】
これら変換情報解釈手段８および変換情報付加手段７も、入力データ変換手段３や出力データ変換手段４等と同様に、専用ＡＳＩＣ等のハードウエア回路によって構成したものであっても、あるいはコンピュータ上で動作するソフトウエアによって構成したものであっても構わない。
【００４６】
このように構成されたデータ処理装置では、外部から画像データが入力されると、変換情報解釈手段８がその画像データに付加されている付加情報を解釈して、その内容を入力データ変換手段３に通知する。そして、入力データ変換手段３は、通知内容に従いつつ、入力された画像データを構成する各画素データに対して、構成情報の並び換えを行う。したがって、入力データ変換手段３では、例えばＬＵＴ等に並び換えルールが予め設定されていなくても、換情報解釈手段×による解釈結果に従って並び換えを行うことで、入力された画像データに適した並び換えルールによる並び換えを行うことができる。
【００４７】
その後は、圧縮器１での符号化、伸張器２での復号化および出力データ変換手段４での並び換えを経た後に、変換情報付加手段７が、出力データ変換手段４での並び換えルールの内容を付加情報として生成する。そして、その付加情報を、出力データ変換手段４による並び換え後の画像データに付加する。これにより、出力データ変換手段４の後段に出力される画像データは、その画像データに適した並び換えルールについての付加情報が付加されたものとなる。
【００４８】
なお、上述した第１〜第３の実施の形態では、符号化とその復号化との両方を行う場合を例に挙げて説明したが、本発明はこれに限定されるものではなく、符号化またはその復号化の少なくとも一方を行うものであれば適用可能である。
【００４９】
また、第１〜第３の実施の形態では、可変長符号を用いた符号化としてハフマン符号化を例に挙げて説明したが、可変長符号を用いたものであれば、他の符号化または復号化であっても、全く同様に本発明を適用することが考えられる。
【００５０】
【発明の効果】
以上に説明したように、本発明に係るデータ処理装置、データ処理方法およびデータ処理プログラムによれば、画素データを構成する構成情報の並び順を並び換えることで、例えば周囲画素との相関性が高くなるように各構成情報の並び順を構成し直し、これにより注目画素と周囲画素との差分を小さくする、といったことが実現可能になる。したがって、注目画素の画素データとその周囲画素の画素データとの差分について可変長符号を用いた符号化またはその復号化の少なくとも一方を行う場合に、並び換え後の画像データに符号化またはその復号化を行えば、各構成情報別でなくても一律に高効率の符号化または復号化を行うことができる。
【図面の簡単な説明】
【図１】本発明に係るデータ処理装置の第１の実施の形態における概略構成例を示すブロック図である。
【図２】本発明に係るデータ処理装置の第２の実施の形態における概略構成例を示すブロック図である。
【図３】本発明に係るデータ処理装置の第２の実施の形態における変形例を示すブロック図である。
【図４】本発明に係るデータ処理装置の第３の実施の形態における概略構成例を示すブロック図である。
【符号の説明】
１…圧縮器、２…伸張器、３…入力データ変換手段、４…出力データ変換手段、５…変換情報付加手段、６…変換情報解釈手段、７…変換情報付加手段、３…入力データ変換手段
【図１】
2004194155.tif 000003
【図２】
2004194155.tif 000004
【図３】
2004194155.tif 000005
【図４】
2004194155.tif 000006